(57)【特許請求の範囲】
【請求項１】
音波を受けて振動する振動板と、上記振動板に固着されて振動板とともに振動するボイスコイルと、上記ボイスコイルが配置される磁気ギャップを含みこの磁気ギャップに磁場を生成する磁気回路と、を備えたダイナミックマイクロホンユニットであって、
上記振動板の正面側にレゾネータが配置され、
上記レゾネータの上記振動板との対向面に、上記ボイスコイルの固着位置に対向させてハムノイズキャンセルコイルが固着されているダイナミックマイクロホンユニット。
【請求項２】
ハムノイズキャンセルコイルとボイスコイルは直列に接続されるとともに、上記各コイルの巻線の向きは互いに逆向きである請求項１記載のダイナミックマイクロホンユニット。
【請求項３】
レゾネータの振動板との対向面にはボイスコイルと同心の円に沿った凸面が形成され、この突面に沿ってハムノイズキャンセルコイルが位置決めされている請求項１または２記載のダイナミックマイクロホンユニット。
【請求項４】
ハムノイズキャンセルコイルの巻径とボイスコイルの巻径はほぼ同じである請求項１、２または３記載のダイナミックマイクロホンユニット。
【請求項５】
ハムノイズキャンセルコイルの巻回数とボイスコイルの巻回数はほぼ同じである請求項１乃至４のいずれかに記載のダイナミックマイクロホンユニット。
【請求項６】
レゾネータは、その外周部とハムノイズキャンセルコイルの固着位置との連結部が、機械的な振動が加わることにより振動するように弾性を有し、磁気回路の漏えい磁束がハムノイズキャンセルコイルを横切っている請求項１乃至５のいずれかに記載のダイナミックマイクロホンユニット。
【請求項７】
機械的な振動に対応してハムノイズキャンセルコイルから出力される上記振動に対応したキャンセル信号が、上記振動によってボイスコイルから出力される振動ノイズをキャンセルするように、上記ハムノイズキャンセルコイルとボイスコイルが接続されている請求項１乃至６のいずれかに記載のダイナミックマイクロホンユニット。
【請求項８】
マイクロホンケースに請求項１乃至７のいずれかに記載のダイナミックマイクロホンユニットが組み込まれているダイナミックマイクロホン。
【発明の詳細な説明】
【技術分野】
【０００１】
本発明は、ハムノイズを低減するためのコイルを備えたダイナミックマイクロホンユニットおよびダイナミックマイクロホンに関するものである。
【背景技術】
【０００２】
ダイナミックマイクロホンは、磁気回路構成部材によって形成されている磁界ギャップに、振動板に固着されたボイスコイルが配置された構造になっている。音波を受けて振動板とともにボイスコイルが磁気ギャップ内で振動すると、ボイスコイルと磁界との電磁変換作用により振動速度に応じた音声信号がボイスコイルに発生し、ボイスコイルから音声信号が出力される。磁気回路が何らかの外部要因による影響を受け、上記磁気ギャップ内の磁束が変動すると、ボイスコイルに音波とは関係のない信号が発生する。この音波とは関係のない信号がノイズである。
【０００３】
ダイナミックマイクロホンに発生するノイズの中には、磁気回路に交番磁界が加わることによって発生するノイズがある。上記交番磁界の発生要因が商用交流電源である場合、商用交流電源の周波数に対応する比較的周波数の低いノイズが発生する。この商用交流電源を原因とするノイズをハムノイズと言っている。
【０００４】
マイクロホンにハムノイズが進入する経路は様々である。例えば、特性切り換え用スイッチなどのスイッチノブに指が触れることによってハムノイズが生じることがある。そこで、特許文献１には、スイッチノブを、金属線を介してスイッチ本体のシールドカバーに接続することによりスイッチノブとスイッチ接点部との静電結合をなくし、スイッチノブに指が触れてもハムノイズが生じないようにした構成が開示されている。
【０００５】
また、特許文献２には、狭指向性コンデンサマイクロホンにおいてハムノイズなどを抑制するために、音響管と内蔵マイクロホンユニットとの間に導電性介在部材を介在させ、音響管と内蔵マイクロホンユニットとを電気的に確実に導通させる構成が開示されている。
【０００６】
以上説明した特許文献１、特許文献２記載の発明は、いずれもコンデンサマイクロホンにおけるハムノイズ低減のための構成である。ダイナミックマイクロホンは、前述のように電磁変換方式であることから、コンデンサマイクロホンと比較するとハムノイズが生じやすいという特性がある。一方では、ダイナミックマイクロホンのこのような特性を利用した独特の構成によってハムノイズをキャンセルする技術が提案されている。図４および図５に示す例がそれである。これらの従来例について次に説明する。
【０００７】
図４において、符号１０１は、マイクロホンユニットの基体をなすユニットフレームを示している。ユニットフレーム１０１は、磁性体からなるほぼ円筒形状の部材で、外側ヨークとして機能している。ユニットフレーム１０１の中心孔内には円板状のヨーク１０２が固定され、ヨーク１０２の上には円板状の磁石１０３が固定され、磁石１０３の上には円板状のポールピース１０４が固定されている。これらヨーク１０２、磁石１０３、ポールピース１０４は互いに接着によって結合されている。ユニットフレーム１を上記のように外側ヨークとすると、ヨーク２は内側ヨークとして機能している。
【０００８】
ヨーク１０２の外周面はユニットフレーム１０１の内周面に密着し、ポールピース１０４の外周面とユニットフレーム１０１の内周面との間には円形の間隙が生じている。磁石１０３から出る磁束は、ヨーク１０２、ユニットフレーム１０１、上記間隙、ポールピース１０４で構成される磁気回路を通って磁石１０３に戻る。上記間隙は磁気ギャップになっている。
【０００９】
ユニットフレーム１０１の上端部外周には、円筒部材１３５が固定されている。円筒部材１３５は上端部内周側に内向きのフランジ１３６を有していて、フランジ１３６がユニットフレーム１０１の上端部外周に固定されている。上記フランジ１３６にはこのフランジ１３６を上下に貫通する孔１３７が複数箇所に設けられ、円筒部材１３５の内周面とユニットフレーム１０１の外周面との間に生じている円筒形状の空間が、各孔１３７を経て、円筒部材１３５の上方の空間と連通している。
【００１０】
円筒部材１３５の上端部に振動板１０５の外周縁部が固着されている。振動板１０５は合成樹脂や金属などの素材を成形することによって、センタードームとこのセンタードームを囲むサブドームを備えている。サブドームの外周縁部が円筒部材１３５の外周縁部に固着されている。振動板１０５は、音波を受けるとその音圧によりサブドームの外周縁部を支点として前後方向（図４において上下方向）に振動することができる。
【００１１】
振動板１０５にはセンタードームとサブドームの境界に沿ってボイスコイル１０６が固着されている。ボイスコイル１０６は、細い導電線を巻き回すことにより空心の円筒形状に形成されたもので、円筒形状の一端が振動板１０５に固着されている。振動板１０５のサブドームの外周縁部が上記のように固着されている状態で、ボイスコイル１０６が前記磁気ギャップ内に位置している。振動板１０５のサブドームは、円筒部材１３５の孔１３７をその上方で覆っている。
【００１２】
振動板１０５の背面側（図４において振動板１０５の下側）には、保護部材１０７がポールピース１０４の上面に固着されて配置されている。保護部材１０７の上面はドーム状に形成され、振動板１０５のセンタードームとの間に一定間隔の隙間が保たれている。保護部材１０７は、前記ポールピース１０４、磁石１０３、ヨーク１０２の中心孔１４１、１３１、１２１に連通する中心孔１７１を有している。
【００１３】
振動板１０５の正面側には、レゾネータ１０８が、その外周縁部が円筒部材１３５の上端外周縁部に固着されることによって配置されている。レゾネータ１０８の中心部の天井面はドーム状に形成され、振動板１０５のセンタードームとの間に一定間隔の隙間が保たれている。レゾネータ１０８は外部からの音波を振動板１０５に導くための中心孔１８１およびこの中心孔１８１の周囲に複数の孔１８２を有している。ユニットフレーム１０１の下端には蓋１１０が嵌められ、ユニットフレーム１０１の下端開口が塞がれることによって比較的大きな空気室１１１が形成されている。
【００１４】
振動板１０５は、音波を受けるとその音圧の変化にしたがって前後に振動し、振動板１０５とともにボイスコイル１０６も前後に振動する。ボイスコイル１０６は、振動するとき前記磁気ギャップを通っている磁束を横切り、音圧の変化に対応した音声信号を出力する。このようにして電気音響変換が行われ、ボイスコイル６の両端から音声信号が外部に出力される。
【００１５】
図４に示すダイナミックマイクロホンの例では、以上説明した構成に加えて、外部から侵入しようとするハムノイズを打ち消すためのハムノイズキャンセルコイル１５１が付加されている。ハムノイズキャンセルコイル１５１は、空心のコイルであって、前記円筒部材１３５の前端に固着されているレゾネータ１０８の外周面に巻き付けられるようにして固着されている。
【００１６】
図５に示すダイナミックマイクロホンの別の従来例では、ハムノイズキャンセルコイル１５２がレゾネータ１０８の前端面に固着されている。ハムノイズキャンセルコイル１５２の配置位置および大きさを除き、マイクロホンユニットの構成は図４に示すマイクロホンユニットの構成と同じである。ハムノイズキャンセルコイル１５２は空心コイルであって、その中心はボイスコイル１０６の中心軸線と一致している。ハムノイズキャンセルコイル１５２も、ダイナミックマイクロホンユニットに外部から侵入しようとするハムノイズを打ち消すために設けられている。
【００１７】
図４、図５に示す従来例におけるハムノイズキャンセルコイル１５１、１５２は、マイクロホンに進入する交番磁界によってボイスコイル１０６に誘起されるハムノイズを打ち消す向きに巻き回され、ボイスコイル１０６と直列に接続されている。
【００１８】
次に、ダイナミックマイクロホンにおいて問題となる振動ノイズの問題と、振動ノイズ対策をとった従来のダイナミックマイクロホンの例について説明する。ダイナミックマイクロホンは、ボイスコイルの質量が大きいことからその慣性力も大きく、外部から機械的な振動が加わると振動ノイズが発生する。特に一次音圧傾度型マイクロホンでは双指向性成分の制御方式が質量制御であることから、振動板の共振周波数は主要収音帯域の下側に設計され、振動板の共振周波数で大きな振動ノイズが発生する。
【００１９】
上記のような振動ノイズをキャンセルすることができるダイナミックマイクロホンの例が特許文献３に記載されている。特許文献３記載の発明は、振動検知装置をマイクロホンケース内に設け、上記振動検知装置による検知信号を、外部の機械的な振動が加わることによってマイクロホンユニットから出力されるノイズ信号に対し逆位相にして出力し、この検知信号をマイクロホンユニットの出力信号に加算して、上記ノイズ信号を除去するものである。上記振動検知装置は、振動ピックアップということもでき、例えばマイクロホンユニットケースなどに設けられたキャンセルコイルと、マイクロホンケースの内面にキャンセルコイルと対向させて固定されキャンセルコイルの周りに磁界を形成する磁石を有してなる。マイクロホンケースに外部から無用な振動が加わると、マイクロホンユニットはその慣性力でマイクロホンケースに対して相対的に振動するため、キャンセルコイルに起電力が生じる。この起電力を、上記ノイズ信号のキャンセル信号とするものである。
【先行技術文献】
【特許文献】
【００２０】
【特許文献１】特開２０１０−６８３６４号公報
【特許文献２】特開２００９−２００８６９号公報
【特許文献３】特公昭６１−３０８００号公報
【発明の概要】
【発明が解決しようとする課題】
【００２１】
ダイナミックマイクロホンにおいて、図４、図５に示す例のように、外部から侵入しようとするハムノイズを打ち消すためのハムノイズキャンセルコイルを付加することにより、ある程度のハムノイズ低減効果は期待できる。しかし、十分なハムノイズ低減効果を得ることはできない。その理由は、ボイスコイル１０６が受ける交番磁界と、ハムノイズキャンセルコイル１５１、１５２が受ける交番磁界とで位相差があり、この位相差に対応する分のハムノイズは打ち消すことができないからである。
【００２２】
また、特許文献３に記載されているダイナミックマイクロホンは、機械的な振動を要因とするノイズを除去するために、振動ピックアップとして機能させるための磁石と検出コイルが必要になる。
【００２３】
本発明は、上記従来技術の問題点を解消すること、すなわち、十分なハムノイズ低減効果を得ることができるダイナミックマイクロホンユニットおよびダイナミックマイクロホンを提供することを目的とする。
【課題を解決するための手段】
【００２４】
本発明に係るダイナミックマイクロホンユニットは、
音波を受けて振動する振動板と、上記振動板に固着されて振動板とともに振動するボイスコイルと、上記ボイスコイルが配置される磁気ギャップを含みこの磁気ギャップに磁場を生成する磁気回路と、を備えたダイナミックマイクロホンユニットであって、
上記振動板の正面側にレゾネータが配置され、
上記レゾネータの上記振動板との対向面に、上記ボイスコイルの固着位置に対向させてハムノイズキャンセルコイルが固着されている
ことを最も主要な特徴とする。
【発明の効果】
【００２５】
マイクロホンユニットに進入する交番磁界はボイスコイルとハムノイズキャンセルコイルにほぼ同じ条件で作用し、ほぼ同じノイズ信号を生成する。ボイスコイルとハムノイズキャンセルコイルで生成されるノイズ信号は互いに打ち消され、ボイスコイルからは、ハムノイズが極めて少ない音声信号が出力される。
【図面の簡単な説明】
【００２６】
【図１】本発明に係るダイナミックマイクロホンに用いられるマイクロホンユニットの実施例を示す縦断面図である。
【図２】本発明に係るダイナミックマイクロホンに用いられるマイクロホンユニットの別の実施例を示す縦断面図である。
【図３】図２に示す実施例によって得られる振動ノイズ低減効果を示すグラフである。
【図４】従来のダイナミックマイクロホンに用いられるマイクロホンユニット部分の例を示す縦断面図である。
【図５】従来のダイナミックマイクロホンに用いられるマイクロホンユニット部分の別の例を示す縦断面図である。
【発明を実施するための形態】
【００２７】
以下、図１乃至図３を参照しながら本発明に係るダイナミックマイクロホンユニットおよびダイナミックマイクロホンの実施例について説明する。
【実施例１】
【００２８】
図１において、符号１は、マイクロホンユニットの基体をなすユニットフレームを示している。ユニットフレーム１は、磁気回路の一部を兼ねていて、外側ヨークとして機能している。ユニットフレーム１は、磁性体からなるほぼ円筒形状の部材で、中心孔の図１において下側の約半分が小径になっていて、上記中心孔の上下方向の中間に段部が形成されている。
【００２９】
ユニットフレーム１の中心孔内には、上記段部に円板状の内側ヨーク２が固定され、内側ヨーク２の上には円板状の磁石３が固定され、磁石３の上には円板状のポールピース４が固定されている。これら内側ヨーク２、磁石３、ポールピース４は同径の中心孔２１，３１，４１を有している。これらユニットフレーム１、内側ヨーク２、磁石３、ポールピース４は互いに接着によって結合されている。内側ヨーク２の外周面はユニットフレーム１の内周面に密着しているのに対し、ポールピース４の外周面とユニットフレーム１の内周面との間には円形の間隙が生じている。磁石３から出る磁束は、ヨーク２、外側ヨークを兼ねるユニットフレーム１、上記間隙、ポールピース４で構成される磁気回路を通って磁石３に戻る。よって、上記間隙は磁気ギャップになっている。
【００３０】
ユニットフレーム１の上端部外周には、円筒部材３５が固定されている。円筒部材３５は上端部内周側に内向きのフランジ３６を有していて、このフランジ３６がユニットフレーム１の上端部外周に接着などによって固定されている。円筒部材３５は実質的にユニットフレーム１の一部を構成している。上記内向きのフランジ３６にはこのフランジ３６を上下に貫通する孔３７が複数箇所に設けられ、円筒部材３５の内周面とユニットフレーム１の外周面との間に生じている円筒形状の空間が、上記孔３７を経て、円筒部材３５の上方の空間と連通している。上記孔３７の上端は音響抵抗体１８によって覆われている。
【００３１】
実質的にユニットフレーム１の一部を構成している円筒部材３５の上端部には、振動板５の外周縁部が固着されている。振動板５は合成樹脂や金属の薄膜を素材としてなり、この素材を成形することによって、センタードーム５１とこのセンタードーム５１の全周を囲むサブドーム５２を備えている。センタードーム５１は球面の一部を切り取った形であるのに対し、サブドーム５２は断面が部分円弧形状でセンタードーム５１の外周縁に連続してセンタードーム５１と一体に形成されている。サブドーム５２の外周縁部が円筒部材３５の外周縁部に固着されている。振動板５は、上記のようにサブドーム５２の外周縁部が円筒部材３５に固着されているため、音波を受けるとその音圧によりサブドーム５２の外周縁部を支点として前後方向（図１において上下方向）に振動することができる。
【００３２】
振動板５にはセンタードーム５１とサブドーム５２の境界に沿ってボイスコイル６が固着されている。ボイスコイル６は、細い導線を巻き回すことにより円筒形に形成されかつ定まった形を保つように固められたもので、円筒形のボイスコイル６の一端が振動板５に固着されている。振動板５のサブドーム５２の外周縁部が上記のように固着されている状態で、ボイスコイル６が前記磁気ギャップ内に位置し、ボイスコイル６はユニットフレーム１からもポールピース４からも離間している。振動板５のサブドーム５２は、円筒部材３５の孔３７および音響抵抗体１８をこれらの上方で覆っている。
【００３３】
振動板５の背面側（図１において振動板５の下側）には、保護部材７が配置されてポールピース４の上面に固着されている。保護部材７の上面はドーム状に形成され、振動板５のセンタードーム５１との間に一定間隔の隙間が保たれている。保護部材７は、前記ポールピース４、磁石３、ヨーク２の中心孔４１、３１、２１に連通する中心孔７１を有している。
【００３４】
振動板５の正面側には、振動板５の保護部材を兼ねたレゾネータ８が、その外周縁部を円筒部材３５の上端外周縁部に固着することによって配置されている。レゾネータ８の中心部の天井面はドーム状に形成され、振動板５のセンタードーム５１との間に一定間隔の隙間が保たれている。レゾネータ８は外部からの音波を振動板５に導くための中心孔８１および中心孔８１の周囲に複数の孔８２を有している。レゾネータ８が上記中心孔８１および複数の孔８２を有することによって前部音響端子が構成されている。レゾネータ８は、レゾネータ８の内面と振動板５とで画される前部空気室の共振によって高音域の周波数応答を伸ばす働きをする。
【００３５】
ユニットフレーム１の下端開口には蓋１０が嵌められて密閉され、ユニットフレーム１内に比較的大きな空気室１１が形成されている。空気室１１には音響抵抗体を配置してもよい。以上のようにしてダイナミックマイクロホンユニットが構成されている。このマイクロホンユニットをマイクロホンケースに組み込むことによってダイナミックマイクロホンが構成される。上記マイクロホンケースの前面側はフロントメッシュなどで覆われ、マイクロホンケースの後端側には、マイクロホンケーブルを接続するコネクタが組み込まれる。
【００３６】
以上説明したダイナミックマイクロホンユニットに、ハムノイズキャンセルコイル１５が組み込まれており、このハムノイズキャンセルコイル１５の組み込み態様が本実施例の特徴になっている。図１において、ハムノイズキャンセルコイル１５は、導電線を扁平な円筒形状に巻き回した空心コイルであり、前記レゾネータ８の振動板５との対向面に、かつ、ボイスコイル６の固着位置に対向させて固着されている。レゾネータ８には、振動板５との対向面に、ボイスコイル６と同心の円に沿った扁平な円筒面からなる突面８３が形成されている。この突面８３に沿ってハムノイズキャンセルコイル１５の内周面が嵌められることにより、ハムノイズキャンセルコイル１５が位置決めされて固着されている。
【００３７】
ハムノイズキャンセルコイル１５の巻径とボイスコイル６の巻径はほぼ同じで、ハムノイズキャンセルコイル１５とボイスコイル６が、マイクロホンユニットの中心軸線方向に距離を置いて互いに重なり合っている。また、振動板５が最大の振動幅で振動してもハムノイズキャンセルコイル１５にボイスコイル６が接触しない範囲で、ハムノイズキャンセルコイル１５がボイスコイル６に近接して配置されている。
【００３８】
ハムノイズキャンセルコイル１５の巻回数とボイスコイル６の巻回数はほぼ同じである。ただし、マイクロホンユニットに進入する交番磁界によってハムノイズキャンセルコイル１５とボイスコイル６に生成されるノイズ信号が互いに打ち消されるように、上記各コイル１５，６は直列に接続されるとともに、各コイル１５，６の巻線の向きは互いに逆向きになっている。
【００３９】
マイクロホンユニットに進入する交番磁界はボイスコイル６とハムノイズキャンセルコイル１５にほぼ同じ条件で作用し、上記各コイル６，１５はほぼ同じノイズ信号を生成する。ボイスコイル６とハムノイズキャンセルコイル１５は、上記のように巻線の向きが互いに逆で、直列に接続されているため、各コイル６，１５で生成されるノイズ信号は互いに打ち消され、ボイスコイル６からは、ハムノイズが極めて少ない音声信号が出力される。
【実施例２】
【００４０】
次に、本発明に係るダイナミックマイクロホンユニットの第２の実施例について説明する。この実施例は、ハムノイズだけでなく、外部からの機械的な振動が加わった場合のノイズをキャンセルすることができるように構成を工夫したものである。前記第１の実施例の構成と異なる部分を重点的に説明する。
【００４１】
図２において、ハムノイズキャンセルコイル１５は、その内周面がレゾネータ８の円筒面からなる突面８３の外周面に沿って嵌められている。この点は第１の実施例と同様であるが、レゾネータ８は、外周縁部と突面８３との連結部８５が薄板状に形成されて、連結部８５に、外部から振動が加わることによって振動することができるように弾性が与えられている。ハムノイズキャンセルコイル１５の取り付け位置は、第１の実施例と同様に、振動板５を挟んでボイスコイル６と対向する位置である。保護部材７、レゾネータ８は磁性体からなっていて、前記ユニットフレーム１、内側ヨーク２、磁石３、ポールピース４からなる磁気回路の漏えい磁束が、保護部材７、レゾネータ８を経てハムノイズキャンセルコイル１５を横切っている。
【００４２】
マイクロホンユニットに、音響的な空気振動以外の機械的な振動が加わると、レゾネータ８の連結部８５の弾力によってレゾネータ８の中心部およびハムノイズキャンセルコイル１５が振動する。機械的な外部振動によるハムノイズキャンセルコイル１５の共振周波数は、振動板５の共振周波数と同じになるように、上記連結部８５の弾性係数その他の設計条件が定められ、外部振動によりハムノイズキャンセルコイル１５が振動板５と同相で振動するようになっている。
【００４３】
ハムノイズキャンセルコイル１５が振動すると、ハムノイズキャンセルコイル１５は上記漏えい磁束を横切ることによって発電し、外部振動に対応したキャンセル信号を発生する。したがって、ハムノイズキャンセルコイル１５は、振動ピックアップとしての機能を備えているが、振動ピックアップのための専用の磁束源を設ける必要がない。外部振動が加わると、振動板５が振動してボイスコイル６から振動ノイズが発生する。この振動ノイズをハムノイズキャンセルコイル１５から出力されるキャンセル信号でキャンセルされるように、ハムノイズキャンセルコイル１５とボイスコイル６が接続されている。ハムノイズキャンセルコイル１５は、第１の実施例と同様に、ハムノイズをキャンセル機能も持っている。その他の構成は第１の実施例と同じであるから説明を省略する。
【００４４】
以上述べたとおり、図２に示す第２の実施例によれば、ハムノイズキャンセルコイル１５は、ハムノイズをキャンセルする機能持つとともに、外部振動によるノイズをキャンセルする機能も持っている。したがって、ハムノイズキャンセルコイル１５は、実質的に振動ピックアップを構成している。振動ピックアップは、例えば前記引用文献３に記載されているように、マイクロホンケース側に磁石を、マイクロホンユニット側にコイルを設けるというように、マイクロホンケース側とマイクロホンユニット側に部品を配置する必要がある。しかし、本願発明の第２の実施例によれば、ハムノイズキャンセルコイル１５が振動ノイズをキャンセルする機能を全うするのに必要な磁束源は、ダイナミックマイクロホンとして本来備えている磁石３である。よって、振動検出のための構成が簡単になるばかりでなく、マイクロホンユニット内で振動ピックアップの構成を完結できる利点がある。
【００４５】
上記第２の実施例に係るダイナミックマイクロホンによって得られる振動ノイズ低減効果について図３を参照しながら説明する。図３は、横軸に周波数[Ｈｚ]を、縦軸に機械的な振動によるボイスコイルからの出力レベル[ｄＢ  ｒｅ  １Ｖ]を示す。何れのグラフも、外部から機械的な振動を与えたときのグラフである。太い実線のグラフａはハムノイズキャンセルコイル１５の出力信号により振動ノイズをキャンセルした後の出力レベルを示す。細い実線のグラフｂは振動ノイズキャンセル前の出力レベルを示す。点線で示すグラフｃは、上記機械的な振動により、振動ピックアップとしてのハムノイズキャンセルコイル１５から出力される信号を示す。
【００４６】
グラフａとｂを比較すると明らかなように、最大で１１ｄＢ程度の振動ノイズ低減効果が認められる。３ｄＢ以上の振動ノイズ低減効果が得られる周波数領域を符号Ｅで示している。図３から明らかなように、上記第２の実施例によれば、振動ノイズ低減効果が大きい。
【００４７】
以上説明した各実施例に係るダイナミックマイクロホンユニットは、これをマイクロホンケースに内蔵し、マイクロホンケースにはマイクロホンコネクタその他必要な部品を組み込むことにより、ダイナミックマイクロホンを得ることができる。
【００４８】
本発明に係るダイナミックマイクロホンユニットおよびダイナミックマイクロホンは、特許請求の範囲に記載されている技術思想を逸脱しない範囲で任意に設計変更することができる。例えば、ダイナミックマイクロホンユニットの基本構成は図１、図２に示す実施例の構成に限定されるものではなく、伝統的なダイナミックマイクロホンユニットの基本構成を採用し、これに本発明特有の構成でハムノイズキャンセルコイルを付加してもよい。
【符号の説明】
【００４９】
１    ユニットフレーム
２    内側ヨーク
３    磁石
４    ポールピース
５    振動板
８    レゾネータ
６    ボイスコイル
１５    ハムノイズキャンセルコイル
８３    凸面
８５    
【図１】
0005783937.tif 000002
【図２】
0005783937.tif 000003
【図３】
0005783937.tif 000004
【図４】
0005783937.tif 000005
【図５】
0005783937.tif 000006